【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】
キャビネットと、
前記キャビネット内にスライド可能に位置付けられた冷却デッキとを具備しており、
前記冷却デッキがスターリングクーラーユニットを備えることを特徴とする冷蔵庫。
【請求項２】
キャビネットと、
冷却デッキとを具備しており、
前記冷却デッキが複数のスターリングクーラーユニットを備え、
前記複数のスターリングクーラーユニットが、前記複数のスターリングクーラーユニットにより発生される振動を相殺するために、前記複数のスターリングクーラーユニットの第２の１つと位相外れの、前記複数のスターリングクーラーユニットの第１の１つを有することを特徴とする冷蔵庫。
【請求項３】
第１方向に延びる表面と、
第２方向に延びる第２表面とを備えており、前記第２表面は前記第１表面に接続されており、
前記第２表面はその中にアパーチャを有しており、
前記第２表面はその上に位置付けられた分離トレイを有しており、
更にスターリングクーラーユニットを備えており、前記スターリングクーラーユニットが前記分離トレイ上に位置付けられ前記第２表面内の前記アパーチャを通って延びていることを特徴とする冷蔵庫。
【手続補正２】
【補正対象書類名】明細書
【補正対象項目名】００３１
【補正方法】変更
【補正の内容】
【００３１】
本発明はかくしてスターリングユニット１００へのアクセス用の容易に取り外し可能な冷却デッキ２６０を有するジーデーエム２００に帰着する。かくして本発明は改良されたアクセスと多才性を有するスターリングユニット１００の効率性（efficiencies of the Stirling units 100）を提供する。更に、本発明は該スターリングユニット１００から全体としての該ジーデーエム２００へ伝達される振動の量を制限する。第１に、該スターリングユニット１００は各ユニット１００により生じる振動を相殺するために位相外れで運転されてもよい。第２にパッド３２０，分離機構３６０，そして断熱プラグ５７０がなお更に振動の量を制限するよう該スターリングユニット１００を"フロートさせる（float
）"ために役立つ。
本発明の主たる特徴及び態様は以下のとおりである。
１．キャビネットと、
前記キャビネット内にスライド可能に位置付けられた冷却デッキとを具備しており、
前記冷却デッキがスターリングクーラーユニットを備えることを特徴とする冷蔵庫。
２．前記スターリングクーラーユニットが複数のスターリングクーラーユニットを有することを特徴とする上記１の該冷蔵庫。
３．前記複数のスターリングクーラーユニットが複数のフリーピストンスターリングクーラーユニットを有することを特徴とする上記２の該冷蔵庫。
４．前記複数のスターリングクーラーユニットが、前記複数のスターリングクーラーユニットにより発生される振動を相殺するために、前記複数のスターリングクーラーユニットの第２の１つと位相外れの、前記複数のスターリングクーラーユニットの第１の１つを有することを特徴とする上記３の該冷蔵庫。
５．前記スターリングクーラーユニットがフアンを有することを特徴とする上記１の該冷蔵庫。
６．前記スターリングクーラーユニットが高温端部と低温端部を有することを特徴とする上記１の該冷蔵庫。
７．前記冷却デッキが前記スターリングクーラーユニットの前記高温端部に隣接して位置付けられた高温空気シラウドを有することを特徴とする上記６の該冷蔵庫。
８．前記冷却デッキが前記スターリングクーラーユニットの前記低温端部に隣接して位置付けられた低温端部熱交換器を有することを特徴とする上記６の該冷蔵庫。
９．前記低温端部熱交換器がプレートとそれに取り付けられた複数のフインとを有することを特徴とする上記８の該冷蔵庫。
１０．前記スターリングクーラーユニットの前記低温端部は取り付けリングを介して前記低温端部熱交換器に付着することを特徴とする上記８の該冷蔵庫。
１１．前記キャビネットは被冷却空間と空気プレナムとを、前記空気が前記被冷却空間と前記冷却デッキの間の前記空気プレナムを通って循環するように、備えることを特徴とする上記１の該冷蔵庫。
１２．前記空気プレナムは戻り空気流と供給空気流とを有することを特徴とする上記１１の該冷蔵庫。
１３．前記冷却デッキは前記空気プレナムに隣接して位置付けられた低温空気シラウドを備えることを特徴とする上記１２の該冷蔵庫。
１４．前記冷却デッキは、前記キャビネットと前記冷却デッキとを通って空気を循環させるために前記低温空気シラウド内に位置付けられたフアンを備えることを特徴とする上記１３の該冷蔵庫。
１５．前記冷却デッキは、前記冷却デッキを前記キャビネット内へ、そして前記キャビネット外へスライドさせるために、その上に複数のランナーを有するベースプレートを備えることを特徴とする上記１の該冷蔵庫。
１６．前記複数のランナーの各々は分離パッドを有することを特徴とする上記１５の該冷蔵庫。
１７．前記冷却デッキが前記ベースプレートから延びる垂直壁を備えることを特徴とする上記１５の該冷蔵庫。
１８．前記垂直壁はその中にアパーチャを有しており、前記アパーチャはその中に位置付けられる前記スターリングクーラーユニットを収容するよう寸法決めされていることを特徴とする上記１５の該冷蔵庫。
１９．前記冷却デッキが前記アパーチャ内に位置付けられた断熱プラグを備えることを特徴とする上記１８の該冷蔵庫。
２０．前記冷却デッキが分離機構を備えており、前記分離機構は前記スターリングクーラーユニットを支持することを特徴とする上記１の該冷蔵庫。
２１．  前記分離機構がトレイ上に位置付けられたエラストマー層を有することを特徴とする上記２０の該冷蔵庫。
２２．前記スターリングクーラーユニットがピンと、その上に位置付けられたねじを有する垂直プレートと、を有しており、そして前記トレイはねじ加工無し孔を有する上向きタブとねじ孔を有する下向きタブとを、前記ピンが前記上向きタブの前記ねじ加工無し孔と係合しそして前記ねじが前記垂直プレートを通って前記下向きタブの前記ねじ孔内に進むように、有することを特徴とする上記２０の該冷蔵庫。
２３．キャビネットと、
冷却デッキとを具備しており、
前記冷却デッキが複数のスターリングクーラーユニットを備え、
前記複数のスターリングクーラーユニットが、前記複数のスターリングクーラーユニットにより発生される振動を相殺するために、前記複数のスターリングクーラーユニットの第２の１つと位相外れの、前記複数のスターリングクーラーユニットの第１の１つを有することを特徴とする冷蔵庫。
２４．前記冷却デッキが複数の分離機構を備えており、各前記分離機構が前記複数のスターリングクーラーユニットの１つを支持することを特徴とする上記２３の該冷蔵庫。
２５．前記複数の分離機構の各々がトレイ上に位置付けられたエラストマー層を有することを特徴とする上記２４の該冷蔵庫。
２６．前記冷却デッキが、その上に複数の分離パッドを有するベースプレートを備えることを特徴とする上記２３の該冷蔵庫。
２７．前記冷却デッキが、前記ベースプレートから延びる垂直壁を備えることを特徴とする上記２６の該冷蔵庫。
２８．前記垂直壁はその中にアパーチャを有しており、前記アパーチャはその中に位置付けられる前記スターリングクーラーユニットを収容するよう寸法決めされていることを特徴とする上記２７の該冷蔵庫。
２９．前記冷却デッキが前記アパーチャ内に位置付けられた断熱プラグを備えることを特徴とする上記２８の該冷蔵庫。
３０．第１方向に延びる表面と、
第２方向に延びる第２表面とを備えており、前記第２表面は前記第１表面に接続されており、
前記第２表面はその中にアパーチャを有しており、
前記第２表面はその上に位置付けられた分離トレイを有しており、
更にスターリングクーラーユニットを備えており、前記スターリングクーラーユニットが前記分離トレイ上に位置付けられ前記第２表面内の前記アパーチャを通って延びていることを特徴とする冷蔵庫。